(57)【要約】  【課題】  環境温度が変化した場合であっても、一定ピーク波長の発光スペクトルが発光されるようにした発光装置、それを実現するための発光強度調整方法、及び、そのような発光装置を液晶パネルの背面に配置することにより色再現性が向上した液晶表示装置を提供する。  【解決手段】  本発明の実施形態１に係る発光装置１は、制御部１０、発光部２０、駆動部３０、記憶部４０、入力部５０、スペクトルセンサ６０などを備えている。制御部１０は、ピーク波長が異なる複数種類の同色系の第１赤色ＬＥＤ２１ａ、第２赤色ＬＥＤ２１ｂを用い、環境温度が変化した場合であっても、環境温度の変化に伴って変化する各ＬＥＤのピーク波長を計測し、各ＬＥＤのピーク波長に基づいて各ＬＥＤの発光比率を調整することによって、各ＬＥＤのスペクトルを合成した合成スペクトルのピーク波長を目標値に近づける。【選択図】        図１
2006253502.tif 000002
【特許請求の範囲】
【請求項１】
ピーク波長が異なる複数の発光体を有し、
各発光体の発光強度を各別に調整して合成スペクトルのピーク波長が所定値となるように制御する発光強度制御手段を備えること
を特徴とする発光装置。
【請求項２】
少なくとも３原色で発光する発光装置において、
前記３原色のうちの少なくとも１つにピーク波長が異なる複数の発光体と、
各発光体の発光強度を各別に調整して合成スペクトルのピーク波長が所定値となるように制御する発光強度制御手段と
を備えることを特徴とする発光装置。
【請求項３】
各発光体のピーク波長を取得するピーク波長取得手段を備え、
前記発光強度制御手段は、
前記ピーク波長取得手段によって取得された各発光体のピーク波長及び前記所定値に基づいて各発光体の発光強度を制御するようにしてあること
を特徴とする請求項２に記載の発光装置。
【請求項４】
前記ピーク波長取得手段によって取得された各発光体のピーク波長と前記所定値との差分値を算出する算出手段を備え、
前記発光強度制御手段は、
前記算出手段によって算出された差分値に基づいて各発光体の発光強度を制御するようにしてあること
を特徴とする請求項３に記載の発光装置。
【請求項５】
各発光体のピーク波長及び合成スペクトルのピーク波長を取得するピーク波長取得手段と、
該ピーク波長取得手段によって取得された各発光体のピーク波長と前記合成スペクトルのピーク波長との第１差分値と、前記ピーク波長取得手段によって取得された合成スペクトルのピーク波長と前記所定値との第２差分値とを算出する算出手段と
を備え、
前記発光強度制御手段は、
前記算出手段によって算出された第１差分値及び第２差分値に基づいて各発光体の発光強度を制御するようにしてあること
を特徴とする請求項２に記載の発光装置。
【請求項６】
前記発光体又は発光体近傍の温度を計測する温度計測手段を備え、
前記発光強度制御手段は、
前記温度計測手段によって計測された温度に基づいて各発光体の発光強度を制御するようにしてあること
を特徴とする請求項２に記載の発光装置。
【請求項７】
前記発光体又は発光体近傍の温度を計測する温度計測手段と、
該温度計測手段によって計測された温度における合成スペクトルのピーク波長が前記所定値となる各発光体の発光強度の情報が記憶された記憶部と
を備え、
前記発光強度制御手段は、
前記記憶部に記憶されている情報に基づき、前記温度計測手段によって計測された温度に応じて各発光体の発光強度を制御するようにしてあること
を特徴とする請求項２に記載の発光装置。
【請求項８】
出射光の輝度及び／又は色度の設定値を受け付ける受付手段と、
出射光の分光スペクトルを計測するためのスペクトル計測手段と、
該スペクトル計測手段によって計測された分光スペクトルに基づいて輝度及び／又は色度を算出する第２の算出手段と、
該第２の算出手段によって算出された輝度及び／又は色度と前記受付手段にて受け付けた輝度及び／又は色度の設定値との差分値を算出する第３の算出手段と
を備え、
前記発光強度制御手段は、
前記第３の算出手段によって算出された差分値に基づいて、各発光体の発光強度の比率を保持した状態で各発光体の発光強度をさらに制御するようにしてあること
を特徴とする請求項２乃至請求項７のいずれかに記載の発光装置。
【請求項９】
ピーク波長が異なる複数の発光体を有し、各発光体の発光強度を調整する発光装置の発光強度調整方法であって、
各発光体のピーク波長を取得し、取得したピーク波長に基づいて各発光体の発光強度を各別に調整して合成スペクトルのピーク波長が所定値となるように制御すること
を特徴とする発光強度調整方法。
【請求項１０】
ピーク波長が異なる複数の発光体を有し、各発光体の発光強度を調整する発光装置の発光強度調整方法であって、
発光体又は発光体近傍の温度を計測し、計測した温度に基づいて各発光体の発光強度を各別に調整して合成スペクトルのピーク波長が所定値となるように制御すること
を特徴とする発光強度調整方法。
【請求項１１】
液晶パネルと、該液晶パネルの背面に配置され、３原色のうちの少なくとも１つにピーク波長が異なる複数の発光体を有する発光装置とを備える液晶表示装置であって、
各発光体のピーク波長を取得するピーク波長取得手段と、
該ピーク波長取得手段によって取得された各発光体のピーク波長に基づいて各発光体の発光強度を各別に調整して合成スペクトルのピーク波長が所定値となるように制御する発光強度制御手段と
を備えることを特徴とする液晶表示装置。
【請求項１２】
前記スペクトル取得手段は着脱可能になしてあること
を特徴とする請求項１１に記載の液晶表示装置。
【請求項１３】
液晶パネルと、該液晶パネルの背面に配置され、３原色のうちの少なくとも１つにピーク波長が異なる複数の発光体を有する発光装置とを備える液晶表示装置であって、
前記発光体又は発光体近傍の温度を計測する温度計測手段と、
該温度計測手段が計測した温度に基づいて各発光体の発光強度を各別に調整して合成スペクトルのピーク波長が所定値となるように制御する発光強度制御手段と
を備えることを特徴とする液晶表示装置。
【発明の詳細な説明】
【技術分野】
【０００１】
本発明は、環境温度が変化した場合であっても、一定ピーク波長の発光スペクトルが発光されるようにした発光装置、それを実現するための発光強度調整方法、及び、そのような発光装置を液晶パネルの背面に配置することにより色再現性が向上した液晶表示装置に関する。
【背景技術】
【０００２】
液晶表示装置は、内蔵するゲートドライバ及びソースドライバが、パーソナルコンピュータ（以下、ＰＣという）などから入力された映像信号に基づいて液晶パネルの各画素のオン／オフを制御し、映像信号に応じたデータ電圧を画素に印加することによって、液晶の電気光学特性により決定される光透過率を制御して画像を表示する。液晶パネルは、ＣＲＴ（Cathode Ray Tube）、有機系や無機系の発光材料を用いたＥＬディスプレイ(Electro Luminescent Display)、ＰＤＰ(Plasma Display Panel)のような自発光型のデバイスではなく、液晶パネルの背面にバックライトのような発光装置を配置する必要があり、液晶表示装置では、液晶パネルと同様に発光装置の発光スペクトルが表示品位を決定する大きな要因である。
【０００３】
液晶表示装置用のバックライトとして用いられる従来の発光装置は、例えば、蛍光放電灯から放出された出射光を、導光体の入光面から導光体へ入光し、導光体の底面に設けられた反射板の反射作用などにより導光体の出光面から出射光として出射し、液晶パネルへ入射する構成としている。蛍光放電灯は、電極温度が低い状態では電流量が少なくなり、発光量も少ない。また、電極温度が上昇すると電流量が増加し、発光量が増える。したがって、電極温度の変動により出射光の輝度が変動して表示画面の視認性が低下するという問題がある。また、蛍光放電灯を用いた場合、ホワイトバランス（白色の色度）を調整すること、色バランスを変えて演色効果を付与することなどは困難であるという問題がある。
【０００４】
そこで、近年、赤色、緑色及び青色の３原色の発光ダイオード（ＬＥＤ）を備え、各ＬＥＤからの出射光を混色することで白色光を得て、広い色域を再現することができる発光装置が提案されている。特許文献１には、液晶パネルを背面から照明するための発光色が異なる３種類のバックライトと、３種類の発光色に対応した３種類の光センサーとを備え、バックライトの温度変化及び経年変化に対して、液晶パネルが表示する画像のホワイトバランスが常に設定値と等しくなるように動作させることを特徴とした液晶表示装置が開示されている。
【０００５】
特許文献２には、２以上ｎ種類の透過スペクトル選択手段と、スペクトル分布の異なるｍ種類の光源と、このｍ種類の光源による照射を時分割に制御する光源制御手段と、光源制御手段とｎ種類の透過スペクトル選択手段とにより生成されるｎ＋１種類以上、ｎ×ｍ種類以下のカラー光源と、光の透過率又は反射率を画像情報に応じて制御するライトバルブとを備える画像表示装置が開示されている。このような画像表示装置は、２種類以上のスペクトルを持つ光源とカラーフィルタを組み合わせることにより、カラーフィルタ方式の副画素の数を増大させること無く原色数を増大させることが可能であることから、開口率の低下による消費電力の増大や、解像度の低下をきたすことなく多原色表示システムを実現することができる。
【０００６】
特許文献３には、少なくとも同色系の２以上のＬＥＤを用い、１画素中の同色系のＬＥＤは、同色系の複数のＬＥＤを一定の発光波長範囲ごとに分類した複数の発光波長域のうち、主発光波長が第１の発光波長域内であるＬＥＤ群から選択された第１のＬＥＤと、第１の発光波長域よりも主発光波長が長波長側にある第２の発光波長域内のＬＥＤ群から選択された第２のＬＥＤであるとするＬＥＤ表示器が開示されている。このようなＬＥＤ表示器は、画素ごとの同色系の色むらを混色によりキャンセルして、比較的均一な単色性発光波長で発光することができる。
【特許文献１】特開平１１−２９５６８９号公報
【特許文献２】特開２００３−１０７４７２号公報
【特許文献３】特許第３２１９０００号公報
【発明の開示】
【発明が解決しようとする課題】
【０００７】
しかしながら、発光スペクトルのドミナント波長（ピーク波長）が環境温度によって変化するという特性を有するため、バックライトにＬＥＤを用いた液晶表示装置は、装置の起動直後と安定時とで再現可能な色域が変化するとともに、色自体も変化してしまうという問題があった。例えば、図１７に示すように、発光スペクトルのピーク波長が、環境温度が２５℃のときには波長λ１、環境温度が８０℃のときには波長λ２のようにドリフトしてしまう。特に、赤色のＬＥＤは、図１８に示すように、環境温度が２５℃から８０℃に変化した場合、出力電流によらず、波長ドリフト量が９ｎｍと大きく、ホワイトバランスを一定に保つことができたとしても、赤色の色味が変化してしまうという問題があった。
【０００８】
また、ＬＥＤは、半導体製造プロセスによって製造されることから、その形成条件が極めて複雑で、原料ガス流量、基板温度、不純物濃度のわずかの差で発光特性などにバラツキが生じ、同一種のＬＥＤであっても、製造バラツキによってピーク波長が相違する虞がある。
【０００９】
したがって、特許文献１に開示された技術においては、赤色、緑色及び青色の各色のピーク波長が温度変化によってシフトした場合、ホワイトバランスが常に設定値と等しくなるように動作させることはできるが、各色のスペクトル変化による色ずれを解消することはできない。
【００１０】
また特許文献２及び特許文献３に開示された技術においては、色再現領域を広げるためにピーク波長の異なる複数の光源を３原色に使用しているが、光源のピーク波長が温度によって変化した場合には、各色のスペクトル変化による色ずれを解消することはできない。
【００１１】
本発明は斯かる事情に鑑みてなされたものであり、ピーク波長が異なる複数の発光体の合成スペクトルのピーク波長が所定値となるように、各発光体の発光強度を各別に制御することにより、各発光体のスペクトルのピーク波長が変動した場合であっても、一定ピーク波長の発光スペクトルで発光されるようにした発光装置の提供を目的とする。
【００１２】
また本発明は、ピーク波長が異なる複数の発光体のピーク波長を取得し、各発光体のピーク波長とピーク波長の目標値（所定値）とに基づいて各発光体の発光強度を制御することにより、各発光体のピーク波長に基づくフィードバック処理を行って、各発光体のスペクトルのピーク波長が変動した場合であっても、一定ピーク波長の発光スペクトルが発光されるようにした発光装置、それを実現するための発光強度調整方法、及び、そのような発光装置を液晶パネルの背面に配置することにより色再現性が向上した液晶表示装置の提供を目的とする。
【００１３】
また本発明は、発光体又は発光体近傍の温度を計測し、計測された温度に基づいて各発光体の発光強度を制御することにより、環境温度の変化によって各発光体のスペクトルのピーク波長が変動した場合であっても、一定ピーク波長の発光スペクトルが発光されるようにした発光装置、それを実現するための発光強度調整方法、及び、そのような発光装置を液晶パネルの背面に配置することにより色再現性が向上した液晶表示装置の提供を目的とする。
【００１４】
また本発明は、出射光の輝度及び／又は色度の設定値を受け付けるとともに、スペクトルを計測し、計測された分光スペクトルに基づいて輝度及び／又は色度を算出し、算出された輝度及び／又は色度と受け付けた輝度及び／又は色度の設定値との差分値を算出し、算出された差分値に基づいて各発光体の発光強度の比率を保持した状態で各発光体の発光強度をさらに制御することにより、各色のスペクトルの強度を調整して、受け付けた輝度及び／又は色度の設定値で発光させることができる発光装置の提供を目的とする。
【課題を解決するための手段】
【００１５】
第１発明に係る発光装置は、ピーク波長が異なる複数の発光体を有し、各発光体の発光強度を各別に調整して合成スペクトルのピーク波長が所定値となるように制御する発光強度制御手段を備えることを特徴とする。
【００１６】
第１発明にあっては、ピーク波長が異なる複数の発光体の発光強度を各別に調整して合成スペクトルのピーク波長が所定値となるように制御する。これにより、各発光体のスペクトルのピーク波長が変動した場合であっても、一定ピーク波長の発光スペクトルが発光される。
【００１７】
第２発明に係る発光装置は、少なくとも３原色で発光する発光装置において、前記３原色のうちの少なくとも１つにピーク波長が異なる複数の発光体と、各発光体の発光強度を各別に調整して合成スペクトルのピーク波長が所定値となるように制御する発光強度制御手段とを備えることを特徴とする。
【００１８】
第２発明にあっては、少なくとも３原色で発光する場合に、３原色のうちの少なくとも１つにピーク波長が異なる複数の発光体の発光強度を各別に調整して合成スペクトルのピーク波長が所定値となるように制御する。これにより、各発光体のスペクトルのピーク波長が変動した場合であっても、一定ピーク波長の発光スペクトルが発光される。
【００１９】
第３発明に係る発光装置は、第２発明において、各発光体のピーク波長を取得するピーク波長取得手段を備え、前記発光強度制御手段は、前記ピーク波長取得手段によって取得された各発光体のピーク波長及び前記所定値に基づいて各発光体の発光強度を制御するようにしてあることを特徴とする。
【００２０】
第３発明にあっては、ピーク波長取得手段にて各発光体のピーク波長を取得し、取得された各発光体のピーク波長とピーク波長の目標値（所定値）とに基づいて各発光体の発光強度を制御する。これにより、各発光体のピーク波長に基づくフィードバック処理を行って、各発光体のスペクトルのピーク波長が変動した場合であっても、一定ピーク波長の発光スペクトルが発光される。
【００２１】
第４発明に係る発光装置は、第３発明において、前記ピーク波長取得手段によって取得された各発光体のピーク波長と前記所定値との差分値を算出する算出手段を備え、前記発光強度制御手段は、前記算出手段によって算出された差分値に基づいて各発光体の発光強度を制御するようにしてあることを特徴とする。
【００２２】
第４発明にあっては、ピーク波長取得手段にて取得された各発光体のピーク波長と合成スペクトルのピーク波長の目標値（所定値）との差分値を算出手段にて算出し、算出された差分値に基づいて各発光体の発光強度を制御する。例えば、差分値が小さい発光体の発光強度を差分値が大きい発光体の発光強度より高くすることにより、差分値が小さい発光体の合成スペクトルへの寄与率を高めることができることから、各発光体のスペクトルのピーク波長が変動した場合であっても、一定ピーク波長の発光スペクトルが発光される。
【００２３】
第５発明に係る発光装置は、第２発明において、各発光体のピーク波長及び合成スペクトルのピーク波長を取得するピーク波長取得手段と、該ピーク波長取得手段によって取得された各発光体のピーク波長と前記合成スペクトルのピーク波長との第１差分値と、前記ピーク波長取得手段によって取得された合成スペクトルのピーク波長と前記所定値との第２差分値とを算出する算出手段とを備え、前記発光強度制御手段は、前記算出手段によって算出された第１差分値及び第２差分値に基づいて各発光体の発光強度を制御するようにしてあることを特徴とする。
【００２４】
第５発明にあっては、ピーク波長取得手段にて各発光体のピーク波長及び合成スペクトルのピーク波長を取得し、取得された各発光体のピーク波長と合成スペクトルのピーク波長との第１差分値と、合成スペクトルのピーク波長と合成スペクトルのピーク波長の目標値（所定値）との第２差分値とを算出手段にて算出し、算出された第１差分値及び第２差分値に基づいて各発光体の発光強度を制御する。このように、第２差分値が小さくなるように、各発光体の発光強度の調整を繰り返すことで第２差分値が収束する。そして、第２差分値が収束した状態で各発光体を発光させる。
【００２５】
第６発明に係る発光装置は、第２発明において、前記発光体又は発光体近傍の温度を計測する温度計測手段を備え、前記発光強度制御手段は、前記温度計測手段によって計測された温度に基づいて各発光体の発光強度を制御するようにしてあることを特徴とする。
【００２６】
第６発明にあっては、温度計測手段にて発光体又は発光体近傍の温度を計測し、計測された温度に基づいて各発光体の発光強度を制御する。これにより、環境温度が変化することによって各発光体のスペクトルのピーク波長が変動した場合であっても、一定ピーク波長の発光スペクトルが発光される。
【００２７】
第７発明に係る発光装置は、第２発明において、前記発光体又は発光体近傍の温度を計測する温度計測手段と、該温度計測手段によって計測された温度における合成スペクトルのピーク波長が前記所定値となる各発光体の発光強度の情報が記憶された記憶部とを備え、前記発光強度制御手段は、前記記憶部に記憶されている情報に基づき、前記温度計測手段によって計測された温度に応じて各発光体の発光強度を制御するようにしてあることを特徴とする。
【００２８】
第７発明にあっては、温度計測手段にて発光体又は発光体近傍の温度を計測する。また、記憶部には、温度計測手段によって計測された温度における合成スペクトルのピーク波長が前記所定値となる各発光体の発光強度の情報が記憶されており、記憶部に記憶されている情報に基づき、温度計測手段によって計測された温度に応じて各発光体の発光強度を制御する。このように、環境温度が変化した場合であっても、温度計測手段によって計測した温度における各発光体の発光強度の情報を読み出し、その発光強度で各発光体を発光するようにすることで、合成スペクトルのピーク波長が所定値となり、処理手順を簡略化することができる。
【００２９】
第８発明に係る発光装置は、第２発明乃至第７発明のいずれかにおいて、出射光の輝度及び／又は色度の設定値を受け付ける受付手段と、出射光の分光スペクトルを計測するためのスペクトル計測手段と、該スペクトル計測手段によって計測された分光スペクトルに基づいて輝度及び／又は色度を算出する第２の算出手段と、該第２の算出手段によって算出された輝度及び／又は色度と前記受付手段にて受け付けた輝度及び／又は色度の設定値との差分値を算出する第３の算出手段とを備え、前記発光強度制御手段は、前記第３の算出手段によって算出された差分値に基づいて、各発光体の発光強度の比率を保持した状態で各発光体の発光強度をさらに制御するようにしてあることを特徴とする。
【００３０】
第８発明にあっては、受付手段にて出射光の輝度及び／又は色度の設定値を受け付ける。そして、スペクトル計測手段にて出射光の分光スペクトルを計測し、スペクトル計測手段によって計測された分光スペクトルに基づいて輝度及び／又は色度を第２の算出手段にて算出する。そして、算出された輝度及び／又は色度と受付手段にて受け付けた輝度及び／又は色度の設定値との差分値を第３の算出手段にて算出し、算出された差分値に基づいて各発光体の発光強度の比率を保持した状態で各発光体の発光強度をさらに制御する。これにより、各色のスペクトルの強度を調整して、受け付けた輝度及び／又は色度の設定値で発光させることができる。
【００３１】
第９発明に係る発光強度調整方法は、ピーク波長が異なる複数の発光体を有し、各発光体の発光強度を調整する発光装置の発光強度調整方法であって、各発光体のピーク波長を取得し、取得したピーク波長に基づいて各発光体の発光強度を各別に調整して合成スペクトルのピーク波長が所定値となるように制御することを特徴とする。
【００３２】
第９発明にあっては、ピーク波長が異なる複数の発光体のピーク波長を取得し、取得された各発光体のピーク波長とピーク波長の目標値（所定値）とに基づいて各発光体の発光強度を制御する。これにより、各発光体のピーク波長に基づくフィードバック処理を行って、各発光体のスペクトルのピーク波長が変動した場合であっても、一定ピーク波長の発光スペクトルが発光される。
【００３３】
第１０発明に係る発光強度調整方法は、ピーク波長が異なる複数の発光体を有し、各発光体の発光強度を調整する発光装置の発光強度調整方法であって、発光体又は発光体近傍の温度を計測し、計測した温度に基づいて各発光体の発光強度を各別に調整して合成スペクトルのピーク波長が所定値となるように制御することを特徴とする。
【００３４】
第１０発明にあっては、発光体又は発光体近傍の温度を計測し、計測された温度に基づいて各発光体の発光強度を制御する。これにより、環境温度が変化することによって各発光体のスペクトルのピーク波長が変動した場合であっても、一定ピーク波長の発光スペクトルが発光される。
【００３５】
第１１発明に係る液晶表示装置は、液晶パネルと、該液晶パネルの背面に配置され、３原色のうちの少なくとも１つにピーク波長が異なる複数の発光体を有する発光装置とを備える液晶表示装置であって、各発光体のピーク波長を取得するピーク波長取得手段と、該ピーク波長取得手段によって取得された各発光体のピーク波長に基づいて各発光体の発光強度を各別に調整して合成スペクトルのピーク波長が所定値となるように制御する発光強度制御手段とを備えることを特徴とする。
【００３６】
第１１発明にあっては、３原色のうちの少なくとも１つにピーク波長が異なる複数の発光体のピーク波長を取得し、取得された各発光体のピーク波長に基づいて各発光体の発光強度を制御して、一定ピーク波長の発光スペクトルを発光させる。これにより、各発光体のスペクトルのピーク波長が変動した場合であっても、色味が変化してしまう虞はない。
【００３７】
第１２発明に係る液晶表示装置は、第１１発明において、前記スペクトル取得手段は着脱可能になしてあることを特徴とする。
【００３８】
第１２発明にあっては、各発光体のピーク波長を取得するためのスペクトル取得手段が着脱可能であることにより、各発光体のピーク波長を取得する場合にスペクトル取得手段を装着すればよく、不要の場合は装着する必要はない。
【００３９】
第１３発明に係る液晶表示装置は、液晶パネルと、該液晶パネルの背面に配置され、３原色のうちの少なくとも１つにピーク波長が異なる複数の発光体を有する発光装置とを備える液晶表示装置であって、前記発光体又は発光体近傍の温度を計測する温度計測手段と、該温度計測手段が計測した温度に基づいて各発光体の発光強度を各別に調整して合成スペクトルのピーク波長が所定値となるように制御する発光強度制御手段とを備えることを特徴とする。
【００４０】
第１３発明にあっては、３原色のうちの少なくとも１つにピーク波長が異なる複数の発光体を備えており、発光体又は発光体近傍の温度を計測し、計測された温度に基づいて各発光体の発光強度を制御して、一定ピーク波長の発光スペクトルを発光させる。これにより、各発光体のスペクトルのピーク波長が変動した場合であっても、色味が変化してしまう虞はない。
【発明の効果】
【００４１】
本発明によれば、ピーク波長が異なる複数の発光体の発光強度を各別に調整して合成スペクトルのピーク波長が所定値となるように制御することにより、各発光体のスペクトルのピーク波長が変動した場合であっても、一定ピーク波長の発光スペクトルで発光させることができる。例えば、少なくとも３原色で発光する場合に、３原色のうちの少なくとも１つにピーク波長が異なる複数の発光体の発光強度を各別に調整して合成スペクトルのピーク波長が所定値となるように制御するようにすることで、各色を一定ピーク波長の発光スペクトルで発光させることができることから、色再現性に優れた発光装置とすることができる。
【００４２】
本発明によれば、各発光体のピーク波長を取得し、取得された各発光体のピーク波長とピーク波長の目標値（所定値）とに基づいて各発光体の発光強度を制御することにより、各発光体のピーク波長に基づくフィードバック処理を行って、各発光体のスペクトルのピーク波長が変動した場合であっても、一定ピーク波長の発光スペクトルで発光させることができる。また、各発光体のピーク波長と合成スペクトルのピーク波長の目標値（所定値）との差分値を算出し、算出された差分値に基づいて各発光体の発光強度を制御するようにすれば、差分値が小さい発光体の発光強度を差分値が大きい発光体の発光強度より高くすることにより、差分値が小さい発光体の合成スペクトルへの寄与率を高めることができることから、各発光体のスペクトルのピーク波長が変動した場合であっても、一定ピーク波長の発光スペクトルで発光させることができる。さらに、各発光体のピーク波長及び合成スペクトルのピーク波長を取得し、取得された各発光体のピーク波長と合成スペクトルのピーク波長との第１差分値と、合成スペクトルのピーク波長と合成スペクトルのピーク波長の目標値（所定値）との第２差分値とを算出し、算出された第１差分値及び第２差分値に基づいて各発光体の発光強度を制御するようにすれば、第２差分値が小さくなるように、各発光体の発光強度の調整を繰り返すことで第２差分値を収束させ、第２差分値が収束した状態で各発光体を発光させることにより、各発光体のスペクトルのピーク波長が変動した場合であっても、確実に一定ピーク波長の発光スペクトルで発光させることができる。
【００４３】
本発明によれば、発光体又は発光体近傍の温度を計測し、計測された温度に基づいて各発光体の発光強度を制御することにより、環境温度が変化することによって各発光体のスペクトルのピーク波長が変動した場合であっても、一定ピーク波長の発光スペクトルで発光させることができる。また、計測された温度における合成スペクトルのピーク波長が合成スペクトルのピーク波長の目標値（所定値）となる各発光体の発光強度の情報を予め用意しておき、環境温度が変化した場合であっても、その環境温度における各発光体の発光強度の情報を読み出し、その発光強度で各発光体を発光するようにすることで、合成スペクトルのピーク波長が所定値となり、処理手順を簡略化することができる。
【００４４】
本発明によれば、出射光の輝度及び／又は色度の設定値を受け付けるとともに、スペクトルを計測し、計測された分光スペクトルに基づいて輝度及び／又は色度を算出し、算出された輝度及び／又は色度と受け付けた輝度及び／又は色度の設定値との差分値を算出し、算出された差分値に基づいて各発光体の発光強度の比率を保持した状態で各発光体の発光強度をさらに制御することにより、各色のスペクトルの強度を調整して、受け付けた輝度及び／又は色度の設定値で発光させることができる等、優れた効果を奏する。
【発明を実施するための最良の形態】
【００４５】
以下、本発明をその実施の形態を示す図面に基づいて詳述する。
【００４６】
（実施形態１）
図１は本発明の実施形態１に係る発光装置の構成例を示すブロック図である。
本発明の実施形態１に係る発光装置１は、制御部１０、発光部２０、駆動部３０、記憶部４０、入力部５０、スペクトルセンサ６０などを備えている。制御部１０は、目標分光スペクトル演算部１０ａ、分光スペクトル差分演算部１０ｂ、ＬＥＤ出力演算部１０ｃとして機能するマイコンなどの電子回路から構成され、ハードウェア的に種々の処理を実行する。なお、制御部１０がＲＯＭ及びＲＡＭを備えるＣＰＵで構成され、目標分光スペクトル演算部１０ａ、分光スペクトル差分演算部１０ｂ、ＬＥＤ出力演算部１０ｃと同等のソフトウェアのプログラムを予めＲＯＭに格納しておき、格納されたプログラムに従って種々のソフトウェア的機能を実行するようにしてもよい。
【００４７】
発光部２０は、ピーク波長が異なる赤色系の第１赤色ＬＥＤ２１ａ，第２赤色ＬＥＤ２１ｂ、緑色系の緑色ＬＥＤ２２、青色系の青色ＬＥＤ２３から構成される。例えば、第１赤色ＬＥＤ２１ａのピーク波長は、図２の破線に示すように２５℃の環境下で６２１ｎｍ、図３の破線に示すように８０℃の環境下で６２５ｎｍである。一方、第２赤色ＬＥＤ２１ｂのピーク波長は、図２の一点鎖線に示すように２５℃の環境下で６２９ｎｍ、図３の一点鎖線に示すように８０℃の環境下で６３３ｎｍである。このように、ＬＥＤは、環境温度によってピーク波長が変動する特性を有している。
【００４８】
入力部５０には発光装置１の輝度及び色度を設定するための輝度・色度設定信号が入力され、入力された輝度・色度設定信号は制御部１０へ与えられる。スペクトルセンサ６０は、例えば、発光部２０の発光面に配設され、発光部２０からの出射光を分光して、出射光の波長に対する強度の情報（以下、分光スペクトル情報）を取得して制御部１０へ与える。
【００４９】
記憶部４０は、ソフト的に書き換え可能なデバイスであり、第１赤色ＬＥＤ２１ａ及び第２赤色ＬＥＤ２１ｂの合成スペクトル、緑色ＬＥＤ２２のスペクトル、及び青色ＬＥＤ２３のスペクトルを特定するリファレンス分光スペクトル情報４０ａと、第１赤色ＬＥＤ２１ａと第２赤色ＬＥＤ２１ｂとの合成スペクトルが所定値となるようなＰＷＭ出力比率、入力部５０に入力された輝度・色度設定信号によって指定される輝度及び色度となるような第１赤色ＬＥＤ２１ａ、第２赤色ＬＥＤ２１ｂ、緑色ＬＥＤ２２のスペクトル、及び青色ＬＥＤ２３のＰＷＭ出力比率４０ｂとを記憶するためのものである。なお、記憶部４０は、リファレンス分光スペクトル情報４０ａ及びＰＷＭ出力比率４０ｂを適宜更新して記憶する機能を有しており、例えば、工場でリファレンス分光スペクトル情報４０ａは更新され、所定時間毎に、又は使用者の指示に基づいて、自動的にＰＷＭ出力比率４０ｂが更新される。なお、各ＬＥＤのスペクトルは、使用することによって変わってしまう虞があることから、所定時間毎に、又は使用者の指示に基づいて、リファレンス分光スペクトル情報４０ａを更新するようにしてもよい。
【００５０】
制御部１０は、目標分光スペクトル演算部１０ａ、分光スペクトル差分演算部１０ｂ、ＬＥＤ出力演算部１０ｃから構成され、入力部５０から与えられた輝度・色度設定信号とスペクトルセンサ６０から与えられた分光スペクトル情報とに基づいて、演算処理などの各種の制御がなされて、各ＬＥＤの発光強度を決定する制御信号を生成して駆動部３０へ与える。
【００５１】
駆動部３０は、第１赤色ＬＥＤ２１ａ，第２赤色ＬＥＤ２１ｂ、緑色ＬＥＤ２２、及び青色ＬＥＤ２３を駆動するための第１赤色ＬＥＤ駆動回路３１ａ，第２赤色ＬＥＤ駆動回路３１ｂ、緑色ＬＥＤ駆動回路３２、及び青色ＬＥＤ駆動回路３３から構成され、制御部１０から与えられた制御信号に基づいて、発光部２０（第１赤色ＬＥＤ，第２赤色ＬＥＤ、緑色ＬＥＤ、及び青色ＬＥＤ）を駆動して発光させる。
【００５２】
本発明において、制御部１０は、環境温度が変化した場合であっても、赤色系のピーク波長が所定値（ここでは６２６ｎｍ）となるように、第１赤色ＬＥＤ２１ａと第２赤色ＬＥＤ２１ｂとの発光比率を決定する。例えば、図２に示すように、２５℃の環境下では、第１赤色ＬＥＤ２１ａ、第２赤色ＬＥＤ２１ｂのピーク波長はそれぞれ６２１ｎｍ（破線）、６２９ｎｍ（一点鎖線）であることから、第２赤色ＬＥＤ２１ｂの発光比率を第１赤色ＬＥＤ２１ａの発光比率より高めることにより、第１赤色ＬＥＤ２１ａと第２赤色ＬＥＤ２１ｂとの合成スペクトルのピーク波長を６２６ｎｍとする（実線）。
【００５３】
一方、図３に示すように、８０℃の環境下では、第１赤色ＬＥＤ２１ａ、第２赤色ＬＥＤ２１ｂのピーク波長がドリフトしてしまい、それぞれ６２５ｎｍ（破線）、６３３ｎｍ（一点鎖線）となることから、第１赤色ＬＥＤ２１ａの発光比率を第２赤色ＬＥＤ２１ｂの発光比率より高めることにより、第１赤色ＬＥＤ２１ａと第２赤色ＬＥＤ２１ｂとの合成スペクトルのピーク波長を６２６ｎｍとする（実線）。
【００５４】
つまり、本実施形態では、ピーク波長が異なる複数種類の同色系のＬＥＤを用い、環境温度が変化した場合であっても、環境温度の変化に伴って変化する各ＬＥＤのピーク波長を計測し、各ＬＥＤのピーク波長に基づいて各ＬＥＤの発光比率を調整することによって、各ＬＥＤのスペクトルを合成した合成スペクトルのピーク波長を目標値に近づけ、常に略同一のピーク波長を持つ発光装置を提供することにある。
【００５５】
より具体的には、第１赤色ＬＥＤ２１ａ，第２赤色ＬＥＤ２１ｂの発光比率を適宜設定（例えば、第１赤色ＬＥＤ，第２赤色ＬＥＤのＰＷＭ出力値を最大に設定）して第１赤色ＬＥＤ２１ａ，第２赤色ＬＥＤ２１ｂを個別に発光させる。そして、スペクトルセンサ６０にて第１赤色ＬＥＤ２１ａ，第２赤色ＬＥＤ２１ｂのスペクトルを計測し、第１赤色ＬＥＤ２１ａ，第２赤色ＬＥＤ２１ｂのピーク波長を取得する。ここで、スペクトルの計測は工場にて行うようにしておく。また、第１赤色ＬＥＤ２１ａ，第２赤色ＬＥＤ２１ｂのいずれのピーク波長が大きいかを予め決めておくことで、スペクトルを計測する必要はない。
【００５６】
また、第１赤色ＬＥＤ２１ａと第２赤色ＬＥＤ２１ｂとを同時に発光させ、第１赤色ＬＥＤ２１ａのスペクトルと第２赤色ＬＥＤ２１ｂのスペクトルとの合成スペクトルを計測し、合成スペクトルの合成ピーク波長を取得する。
【００５７】
そして、分光スペクトル差分演算部１０ｂにて、合成スペクトルの合成ピーク波長と目標とするピーク波長（ピーク波長目標値）との差分値とを算出し、ＬＥＤ出力演算部１０ｃは、差分値が小さくなるように第１赤色ＬＥＤ２１ａと第２赤色ＬＥＤ２１ｂとのＰＷＭ出力比率を変更するフィードバック処理を行う。このフィードバック処理を繰り返すことによって、差分値を小さくすること（差分値＝０が理想）ができ、赤色系のピーク波長を目標値に近づけることができる。もちろん、本例では、説明を簡略化するために、赤色系のＬＥＤのみに第１赤色ＬＥＤ２１ａと第２赤色ＬＥＤ２１ｂとを用いた場合について説明するが、赤色系のＬＥＤが３つ以上から構成されていてよいし、緑色系のＬＥＤ及び／又は青色系のＬＥＤが２つ以上から構成されていてもよいことは言うまでもない。
【００５８】
フィードバック処理としては、第１赤色ＬＥＤ２１ａのピーク波長が第２赤色ＬＥＤ２１ｂのピーク波長より短いとすると、合成スペクトルのピーク波長が目標値より長い場合、すなわち差分値が正の場合には、合成スペクトルのピーク波長を短波長側にシフトすべく、第１赤色ＬＥＤ２１ａ及び第２赤色ＬＥＤ２１ｂのうちのピーク波長の短い方の第１赤色ＬＥＤのＰＷＭ出力値を増加させるとともに、ピーク波長の長い方の第２赤色ＬＥＤのＰＷＭ出力値を減少させる。
【００５９】
つまり、発光比率（第１赤色ＬＥＤ２１ａのＰＷＭ出力値／（第１赤色ＬＥＤ２１ａのＰＷＭ出力値＋第２赤色ＬＥＤ２１ｂのＰＷＭ出力値））を高める。逆に、合成スペクトルの波長が目標値より短い場合、すなわち差分値が負の場合には、合成スペクトルのピーク波長を長波長側にシフトすべく、第１赤色ＬＥＤ２１ａ及び第２赤色ＬＥＤ２１ｂのうちのピーク波長の長い方の第２赤色ＬＥＤ２１ｂのＰＷＭ出力値を増加させるとともに、ピーク波長の短い方の第１赤色ＬＥＤ２１ａのＰＷＭ出力値を減少させる。つまり、発光比率を低くする。このようにして、差分値が小さくなるように、第１赤色ＬＥＤ２１ａと第２赤色ＬＥＤ２１ｂとのＰＷＭ出力比率の調整を繰り返すことになって、差分値が収束（理想は０）する。そして、差分値が収束した状態におけるＰＷＭ出力比率を記憶部４０に記憶する。
【００６０】
また、制御部１０は、上述したように環境温度が変化した場合であっても、赤色系のピーク波長が所定値となるように第１赤色ＬＥＤ２１ａと第２赤色ＬＥＤ２１ｂとのＰＷＭ出力比率を制御するとともに、入力部５０に入力された輝度・色度設定信号に基づいて、第１赤色ＬＥＤ２１ａと第２赤色ＬＥＤ２１ｂとのＰＷＭ出力比率を保持した状態で、第１赤色ＬＥＤ２１ａ、第２赤色ＬＥＤ２１ｂ、緑色ＬＥＤ２２及び青色ＬＥＤ２３のＰＷＭ出力値を変更する。
【００６１】
より具体的には、スペクトルセンサ６０にて、図４に示すように、第１赤色ＬＥＤ２１ａ及び第２赤色ＬＥＤ２１ｂの合成スペクトル（実線）、緑色ＬＥＤ２２のスペクトル（破線）、及び青色ＬＥＤ２３のスペクトル（一点鎖線）からなる合成スペクトルを計測して、リファレンス分光スペクトル情報４０ａとして記憶部４０に記憶する。なお、リファレンス分光スペクトル情報４０ａの記憶は工場にて行われる。分光スペクトル差分演算部１０ｂは、各スペクトルに基づいて輝度及び色度を算出し、算出された輝度及び色度と入力部５０にて入力された輝度・色度設定信号に基づく輝度及び色度の設定値との差分値を算出する。そして、ＬＥＤ出力演算部１０ｃは、算出された差分値に基づいて、第１赤色ＬＥＤ２１ａと第２赤色ＬＥＤ２１ｂとのＰＷＭ出力比率を保持した状態で、第１赤色ＬＥＤ２１ａ、第２赤色ＬＥＤ２１ｂ、緑色ＬＥＤ２２及び青色ＬＥＤ２３のＰＷＭ出力値を変更する。
【００６２】
リファレンス分光スペクトル情報４０ａは、図５に示すように、第１赤色ＬＥＤ２１ａ及び第２赤色ＬＥＤ２１ｂの合成スペクトル、緑色ＬＥＤ２２のスペクトル、及び青色ＬＥＤ２３のスペクトルの各波長に対する発光強度を示すものであり、このリファレンス分光スペクトル情報４０ａに基づいて、輝度・色度設定信号によって指定された輝度及び色度となるように、第１赤色ＬＥＤ２１ａ、第２赤色ＬＥＤ２１ｂ、緑色ＬＥＤ２２及び青色ＬＥＤ２３のＰＷＭ出力値をさらに変更する。
【００６３】
つまり、目標分光スペクトル演算部１０ａは、輝度・色度設定信号によって指定された輝度及び色度の設定値からＣＩＥ１９３１表色系でのＸＹＺ三刺激値（以下、ＸＹＺ値という）を算出するとともに、リファレンス分光スペクトル情報４０ａを記憶部４０から読み出し、算出したＸＹＺ設定値に基づいて目標とする赤色、緑色及び青色の分光スペクトルの理想ピーク強度を算出し、ＬＥＤ出力演算部１０ｃが、理想ピーク強度となるように、第１赤色ＬＥＤ２１ａ，第２赤色ＬＥＤ２１ｂのＰＷＭ出力比率を保持した状態で、第１赤色ＬＥＤ２１ａ，第２赤色ＬＥＤ２１ｂ、緑色ＬＥＤ２２及び青色ＬＥＤ２３のＰＷＭ出力値を変更する。そして、各ＬＥＤのＰＷＭ出力値に基づいて、各ＬＥＤを駆動する制御信号を駆動部３０へ出力することにより、入力された輝度・色度設定信号にて指示された輝度及び色度の光が発光部２０から発光される。
【００６４】
次に、本発明の実施形態１に係る発光装置１の発光強度調整方法をフローチャートを用いて説明する。
本発明の実施形態１に係る発光装置１の発光強度調整方法は、第１赤色ＬＥＤ２１ａと第２赤色ＬＥＤ２１ｂとの発光比率を調整して、第１赤色ＬＥＤ２１ａ及び第２赤色ＬＥＤ２１ｂの合成スペクトルのピーク波長を所定値に近づける第１の処理手順と、第１の処理手順によって調整された第１赤色ＬＥＤ２１ａと第２赤色ＬＥＤ２１ｂとの発光比率を保持した状態で、第１赤色ＬＥＤ２１ａ、第２赤色ＬＥＤ２１ｂ、緑色ＬＥＤ２２、及び青色ＬＥＤ２３の発光強度をさらに調整して、目標の輝度及び色度に近づける第２の処理手順とを含んでいる。
【００６５】
図６は本発明の実施形態１に係る発光装置の発光強度調整方法の第１の処理手順の一例を示すフローチャートである。
まず、制御部１０は、第１赤色ＬＥＤ２１ａ，第２赤色ＬＥＤ２１ｂのＰＷＭ出力値を最大に設定し（ステップＳ１）、第１赤色ＬＥＤ２１ａ，第２赤色ＬＥＤ２１ｂをそれぞれ個別に発光させ、第１赤色ＬＥＤ２１ａ，第２赤色ＬＥＤ２１ｂの分光スペクトルをスペクトルセンサ６０にて個別に計測して、第１赤色ＬＥＤ２１ａ，第２赤色ＬＥＤ２１ｂのピーク波長λ１，λ２を取得する（ステップＳ２）。スペクトルセンサ６０からは、適宜設定された波長毎の発光強度が出力されるので、第１赤色ＬＥＤ２１ａ，第２赤色ＬＥＤ２１ｂのスペクトルのうちの発光強度がもっとも高い波長をピーク波長λ１，λ２とする。以下、第１赤色ＬＥＤ２１ａ，第２赤色ＬＥＤ２１ｂを識別するためλ１＜λ２であるとし、また、赤色系の合成ピーク波長を目標値とする（後述する差分値を０とする）場合について説明する。なお、第１赤色ＬＥＤ２１ａ，第２赤色ＬＥＤ２１ｂのいずれのピーク波長が大きいかを予め決めておくようにすれば、Ｓ２の処理は不要であるが、各ＬＥＤのピーク波長は、使用することによって変位する虞があるため、発光強度を調整する毎に、ピーク波長λ１，λ２を取得するようにすることも可能である。
【００６６】
次に、第１赤色ＬＥＤ２１ａ及び第２赤色ＬＥＤ２１ｂを同時に発光させ、第１赤色ＬＥＤ２１ａと第２赤色ＬＥＤ２１ｂとの合成スペクトルをスペクトルセンサ６０にて計測して、合成スペクトルの合成ピーク波長λを取得する（ステップＳ３）。スペクトルセンサ６０からは、適宜設定された波長毎の発光強度が出力されるので、第１赤色ＬＥＤ２１ａ及び第２赤色ＬＥＤ２１ｂの合成スペクトルのうちの発光強度がもっとも高い波長を合成ピーク波長λとする。
【００６７】
そして、制御部１０は、合成ピーク波長λとピーク波長目標値λＴとの差分値Δλ（λ−λＴ）を算出する（ステップＳ４）。なお、ピーク波長目標値λＴは、予め発光装置１の固有値として記憶部４０に記憶されているものとする。もちろん、ピーク波長目標値λＴが直接的に受け付けられるようにしてもよい。
【００６８】
そして、Ｓ４にて算出された差分値Δλが正であるか否かを判定する（ステップＳ５）。Ｓ５において、差分値Δλが正であると判定された場合（Ｓ５：ＹＥＳ）、すなわち、合成ピーク波長λがピーク波長目標値λＴより長いと判定された場合は、合成ピーク波長λを短波長方向にシフトさせる必要があるので、第１赤色ＬＥＤ２１ａ，第２赤色ＬＥＤ２１ｂのピーク波長λ１，λ２のうちのピーク波長の短い第１赤色ＬＥＤ２１ａのＰＷＭ出力値を増加させ、ピーク波長の長い第２赤色ＬＥＤ２２ｂのＰＷＭ出力値を減少させるべく、第１赤色ＬＥＤ２１ａ，第２赤色ＬＥＤ２１ｂのＰＷＭ出力比率を変更し（ステップＳ６）、ステップＳ３へ移行する。
【００６９】
一方Ｓ５において、差分値Δλが正でないと判定された場合（Ｓ５：ＮＯ）、すなわち、合成ピーク波長λがピーク波長目標値λＴより長くはないと判定された場合は、差分値Δλが負であるか否かを判定する（ステップＳ７）。Ｓ７において、差分値Δλが負であると判定された場合（Ｓ７：ＹＥＳ）、すなわち、合成ピーク波長λがピーク波長目標値λＴより短いと判定された場合は、合成ピーク波長λを長波長方向にシフトさせる必要があるので、第１赤色ＬＥＤ２１ａ，第２赤色ＬＥＤ２１ｂのピーク波長λ１，λ２のうちのピーク波長の長い第２赤色ＬＥＤ２１ｂのＰＷＭ出力値を増加させ、ピーク波長の短い第１赤色ＬＥＤ２１ａのＰＷＭ出力値を減少させるべく、第１赤色ＬＥＤ２１ａ，第２赤色ＬＥＤ２１ｂのＰＷＭ出力比率を変更し（ステップＳ８）、ステップＳ３へ移行する。
【００７０】
一方Ｓ７において、差分値Δλが負でないと判定された場合（Ｓ７：ＮＯ）は、この第１赤色ＬＥＤ２１ａ，第２赤色ＬＥＤ２１ｂのＰＷＭ出力比率を保持すれば、合成ピーク波長λをピーク波長目標値λＴと同一にすることができる、つまり、ピーク波長目標値λＴとなる第１赤色ＬＥＤ２１ａ，第２赤色ＬＥＤ２１ｂのＰＷＭ出力比率が決定されたことになるので、このときのＰＷＭ出力比率を記憶部４０に記憶する（ステップＳ９）。このようにして、環境温度が変化した場合であっても、赤色系のピーク波長が所定値となるように、第１赤色ＬＥＤ２１ａと第２赤色ＬＥＤ２１ｂとの発光比率を決定する。したがって、環境温度が変化した場合であっても、常に一定ピーク波長の赤色系のスペクトルが発光される。
【００７１】
図７は本発明の実施形態１に係る発光装置の発光強度調整方法の第２の処理手順の一例を示すフローチャートである。
まず、発光装置１は、輝度・色度設定信号が入力部５０に入力されることによって、輝度及び色度の設定値を受け付ける（ステップＳ１１）。なお、輝度及び色度の設定値は、その数値自体を使用者によって直接的に入力されることによって受け付けられるようにしてもよい。
【００７２】
そして、制御部１０は、Ｓ１１にて受け付けた輝度及び色度の設定値からＸＹＺ設定値を算出する（ステップＳ１２）。このように、本例では、一旦、輝度及び色度の情報をＸＹＺ情報に変換するようにする。次に、制御部１０は、記憶部４０からリファレンス分光スペクトル情報４０ａを読み出し、Ｓ１２にて算出したＸＹＺ設定値に基づいて、目標とする赤色、緑色及び青色の分光スペクトルの理想ピーク強度ＩＲ，ＩＧ，ＩＢを算出する（ステップＳ１３）。また、第１赤色ＬＥＤ２１ａ，第２赤色ＬＥＤ２１ｂ、緑色ＬＥＤ２２及び青色ＬＥＤ２３の合成スペクトルの分光スペクトルをスペクトルセンサ６０にて計測し、計測した合成スペクトルの赤色、緑色及び青色の分光スペクトルのピーク強度ＩＲ１，ＩＧ１，ＩＢ１を算出する（ステップＳ１４）。
【００７３】
次に、制御部１０は、合成スペクトルのピーク強度ＩＲ１，ＩＧ１，ＩＢ１と理想ピーク強度ＩＲ，ＩＧ，ＩＢとの差分値を算出する（ステップＳ１５）。そして、差分値が０であるか否かを判定し（ステップＳ１６）、差分値が０であると判定された場合（Ｓ１６：ＹＥＳ）、輝度及び色度が設定値となったと判断して処理を終了する。一方、差分値が０でないと判定された場合（Ｓ１６：ＮＯ）、第１赤色ＬＥＤ２１ａ，第２赤色ＬＥＤ２１ｂのＰＷＭ出力比率を保持した状態で、第１赤色ＬＥＤ２１ａ，第２赤色ＬＥＤ２１ｂ，緑色ＬＥＤ２２及び青色ＬＥＤ２３のＰＷＭ出力値を変更し（ステップＳ１７）、Ｓ１３へ移行して、変更したＰＷＭ出力値での分光スペクトルを再度計測する。第１の処理手順と第２の処理手順は、所定時間毎に又は使用者の指示に基づいて行われる。このように、第１赤色ＬＥＤ２１ａ，第２赤色ＬＥＤ２１ｂ，緑色ＬＥＤ２２及び青色ＬＥＤ２３のＰＷＭ出力値をさらに変更して、受け付けた輝度及び色度のスペクトルで発光する。また、第２の処理手順では、第１の処理手順にて決定した第１赤色ＬＥＤ２１ａ，第２赤色ＬＥＤ２１ｂの発光比率を保持することから、環境温度が変化した場合であっても、赤色系のピーク波長が所定値となり、常に一定の輝度及び色度で発光することができる。
【００７４】
（実施形態２）
図８は本発明の実施形態２に係る発光装置の構成例を示すブロック図である。
本発明の実施形態２に係る発光装置２は、制御部１１、発光部２０、駆動部３０、記憶部４１、入力部５０、カラーセンサ６１、温度センサ６２などを備えている。制御部１１は、目標ＸＹＺ演算部１１ａ、ＸＹＺ差分演算部１１ｂ、ＬＥＤ出力演算部１１ｃとして機能するマイコンなどの電子回路から構成され、ハードウェア的に種々の処理を実行する。なお、制御部１１がＲＯＭ及びＲＡＭを備えるＣＰＵで構成され、目標ＸＹＺ演算部１１ａ、ＸＹＺ差分演算部１１ｂ、ＬＥＤ出力演算部１１ｃと同等のソフトウェアのプログラムを予めＲＯＭに格納しておき、格納されたプログラムに従って種々のソフトウェア的機能を実行するようにしてもよい。
【００７５】
カラーセンサ６１は、例えば、発光部２０の発光面に配設され、発光部２０からの出射光から、赤色、緑色及び青色の発光強度を取得して制御部１１へ与える。温度センサ６２は、発光部２０又は発光部２０近傍の温度を計測するものであって適宜の位置に配設される。
【００７６】
記憶部４１は、ソフト的に書き換え可能なデバイスであり、所定の発光環境温度における第１赤色ＬＥＤ２１ａ，第２赤色ＬＥＤ２１ｂ、緑色ＬＥＤ２２、及び青色ＬＥＤ２３のＸＹＺ値を特定するリファレンスＸＹＺ情報４１ａと、第１赤色ＬＥＤ２１ａ，第２赤色ＬＥＤ２１ｂの環境温度の変化に伴うＸＹＺ値の変化率を特定するＸＹＺ温度変化率情報４１ｂと、第１赤色ＬＥＤ２１ａと第２赤色ＬＥＤ２１ｂとの合成スペクトルが所定値となるようなＰＷＭ出力比率、入力部５０に入力された輝度・色度設定信号によって指定される輝度及び色度となるような第１赤色ＬＥＤ２１ａ，第２赤色ＬＥＤ２１ｂ、緑色ＬＥＤ２２及び青色ＬＥＤ２３のＰＷＭ出力比率４１ｃとを記憶するためのものである。なお、記憶部４１は、ＰＷＭ出力比率４１ｃを適宜更新して記憶する機能を有しており、例えば、所定時間毎に、又は使用者の指示に基づいて、自動的にＰＷＭ出力比率４１ｃが更新される。
【００７７】
制御部１１は、目標ＸＹＺ演算部１１ａ、ＸＹＺ差分演算部１１ｂ、ＬＥＤ出力演算部１１ｃから構成され、入力部５０から与えられた輝度・色度設定信号とカラーセンサ６１及び温度センンサ６２から与えられた各種の情報とに基づいて、演算処理などの各種の制御がなされて、各ＬＥＤの発光強度を決定する制御信号を生成して駆動部３０へ与える。
【００７８】
本実施形態では、ピーク波長が異なる複数種類の同色系のＬＥＤを用い、環境温度が変化した場合であっても、環境温度を測定するとともに、環境温度の変化に伴って変化する各ＬＥＤの発光強度を計測し、予め求めて記憶部４１に記憶されているリファレンスＸＹＺ情報４１ａ及びＸＹＺ温度変化率情報４１ｂに基づいて各ＬＥＤの発光比率を調整することによって、各ＬＥＤのスペクトルを合成した合成スペクトルのピーク波長を目標値に近づけ、常に略同一のピーク波長を持つ発光装置を提供することにある。
【００７９】
より具体的には、第１赤色ＬＥＤ２１ａ，第２赤色ＬＥＤ２１ｂの発光比率を適宜設定（例えば、第１赤色ＬＥＤ，第２赤色ＬＥＤのＰＷＭ出力値を最大に設定）して第１赤色ＬＥＤ２１ａ，第２赤色ＬＥＤ２１ｂを発光させる。そして、適宜時間が経過した後に、温度センサ６２にて環境温度を計測するとともに、カラーセンサ６１にて第１赤色ＬＥＤ２１ａ，第２赤色ＬＥＤ２１ｂ、緑色ＬＥＤ２２及び青色ＬＥＤ２３を個別に発光させ、発光強度を計測し、ＸＹＺ情報に変換して記憶部４１にリファレンスＸＹＺ情報４１ａとして記憶する。リファレンスＸＹＺ情報４１ａは、図９に示すように、所定の発光環境温度における第１赤色ＬＥＤ２１ａ，第２赤色ＬＥＤ２１ｂ、緑色ＬＥＤ２２、及び青色ＬＥＤ２３のＸＹＺ値を特定するものである。
【００８０】
また、異なる温度環境下での第１赤色ＬＥＤ２１ａ，第２赤色ＬＥＤ２１ｂの発光強度をカラーセンサ６１にて計測し、ＸＹＺ情報にそれぞれ変換して、環境温度の変化に伴うＸＹＺ値の変化率を算出してＸＹＺ温度変化率情報４１ｂとして記憶する。ＸＹＺ温度変化率情報４１ｂは、図１０に示すように、第１赤色ＬＥＤ２１ａ，第２赤色ＬＥＤ２１ｂの環境温度の変化に伴うＸＹＺ値の変化率を特定するものである。
【００８１】
そして、ＸＹＺ差分演算部１１ｂにて、合成ピーク波長となるＸＹＺ値と、目標とするピーク波長となるＸＹＺ目標値との差分値を算出し、ＬＥＤ出力演算部１１ｃは、算出された差分値が小さくなるように第１赤色ＬＥＤ２１ａと第２赤色ＬＥＤ２１ｂとのＰＷＭ出力比率を変更するフィードバック処理を行う。このようにして、差分値が小さくなるように、第１赤色ＬＥＤ２１ａと第２赤色ＬＥＤ２１ｂとのＰＷＭ出力比率の調整を繰り返すことになって、差分値が収束（理想は０）する。そして、差分値が収束した状態におけるＰＷＭ出力比率を記憶部４１に記憶する。
【００８２】
また、制御部１１は、上述したように環境温度が変化した場合であっても、赤色系のピーク波長が所定値を示すＸＹＺ値となるように第１赤色ＬＥＤ２１ａと第２赤色ＬＥＤ２１ｂとのＰＷＭ出力比率を制御するとともに、入力部５０に入力された輝度・色度設定信号に基づいて、第１赤色ＬＥＤ２１ａと第２赤色ＬＥＤ２１ｂとのＰＷＭ出力比率を保持した状態で、第１赤色ＬＥＤ２１ａ、第２赤色ＬＥＤ２１ｂ、緑色ＬＥＤ２２及び青色ＬＥＤ２３のＰＷＭ出力値を変更する。
【００８３】
より具体的には、カラーセンサ６１にて第１赤色ＬＥＤ２１ａ及び第２赤色ＬＥＤ２１ｂの合成スペクトル、緑色ＬＥＤ２２、及び青色ＬＥＤ２３の発光強度を計測し、各発光強度、リファレンスＸＹＺ情報４１ａ及びＸＹＺ温度変化率情報４１ｂに基づいて、第１赤色ＬＥＤ２１ａ、第２赤色ＬＥＤ２１ｂ、緑色ＬＥＤ２２及び青色ＬＥＤ２３の合成スペクトルのＸＹＺ値を算出する。そして、ＸＹＺ差分演算部１１ｂは、合成スペクトルのＸＹＺ値と、輝度・色度設定信号に基づくＸＹＺ目標値との差分値を算出する。そして、ＬＥＤ出力演算部１１ｃは、算出された差分値に基づいて、第１赤色ＬＥＤ２１ａと第２赤色ＬＥＤ２１ｂとのＰＷＭ出力比率を保持した状態で、第１赤色ＬＥＤ２１ａ、第２赤色ＬＥＤ２１ｂ、緑色ＬＥＤ２２及び青色ＬＥＤ２３のＰＷＭ出力値を変更する。
【００８４】
次に、本発明の実施形態２に係る発光装置２の発光強度調整方法をフローチャートを用いて説明する。
本発明の実施形態２に係る発光装置２の発光強度調整方法は、第１赤色ＬＥＤ２１ａ及び第２赤色ＬＥＤ２１ｂのＸＹＺ温度変化率情報を記憶部に記憶させる第１の処理手順と、第１赤色ＬＥＤ２１ａと第２赤色ＬＥＤ２１ｂとの発光比率を調整して、第１赤色ＬＥＤ２１ａ及び第２赤色ＬＥＤ２１ｂの合成スペクトルのピーク波長を所定値に近づける第２の処理手順と、第２の処理手順によって調整された第１赤色ＬＥＤ２１ａと第２赤色ＬＥＤ２１ｂとの発光比率を保持した状態で、第１赤色ＬＥＤ２１ａ、第２赤色ＬＥＤ２１ｂ、緑色ＬＥＤ２２、及び青色ＬＥＤ２３の発光強度をさらに調整して、目標の輝度及び色度に近づける第３の処理手順とを含んでいる。なお、一般的に、第１の処理手順は発光装置２の製造者側、すなわち製造工程で処理され、第２の処理手順及び第３の処理手順は発光装置の使用者側で処理されるものである。
【００８５】
図１１は本発明の実施形態２に係る発光装置の発光強度調整方法の第１の処理手順の一例を示すフローチャートである。なお、第１の処理手順は、例えば、発光装置２を温度制御可能な恒温槽に配置した状態で行う。
まず、恒温槽内の温度を第１温度に設定した後、第１赤色ＬＥＤ２１ａ，第２赤色ＬＥＤ２１ｂ、緑色ＬＥＤ２２及び青色ＬＥＤ２３のＰＷＭ出力値を最大に設定し（ステップＳ２１）、第１赤色ＬＥＤ２１ａ，第２赤色ＬＥＤ２１ｂ、緑色ＬＥＤ２２及び青色ＬＥＤ２３を発光させる。各ＬＥＤの発光によって環境温度が変化するため、環境温度が収束するまで待機する。そして、温度センサ６２にて発光部２０の環境温度（第１発光環境温度Ｔ１）を測定する（ステップＳ２２）。
【００８６】
また、第１赤色ＬＥＤ２１ａ，第２赤色ＬＥＤ２１ｂ、緑色ＬＥＤ２２及び青色ＬＥＤ２３をそれぞれ個別に発光させ、第１赤色ＬＥＤ２１ａ，第２赤色ＬＥＤ２１ｂ、緑色ＬＥＤ２２及び青色ＬＥＤ２３の発光強度をカラーセンサ６１にて個別に計測して、計測された発光強度に基づいてＸＹＺ値Ｘ１，Ｙ１，Ｚ１に変換する（ステップＳ２３）。そして、Ｓ２３にて変換したＸＹＺ値Ｘ１，Ｙ１，Ｚ１と、そのときの発光部２０の第１発光環境温度Ｔ１をリファレンスＸＹＺ情報４１ａとして記憶部４１に記憶する（ステップＳ２４）。
【００８７】
次に、上述した環境温度とは異なる温度にて同様の処理を行う。例えば、恒温槽内の温度を第１温度とは異なる第２温度に設定した後、環境温度が収束するまで待機する。そして、温度センサ６２にて発光部２０の環境温度（第２発光環境温度Ｔ２）を測定する（ステップＳ２５）。また、第１赤色ＬＥＤ２１ａ，第２赤色ＬＥＤ２１ｂ、緑色ＬＥＤ２２及び青色ＬＥＤ２３をそれぞれ個別に発光させ、第１赤色ＬＥＤ２１ａ，第２赤色ＬＥＤ２１ｂ、緑色ＬＥＤ２２及び青色ＬＥＤ２３の発光強度をカラーセンサ６１にて個別に計測して、計測された発光強度に基づいてＸＹＺ値Ｘ２，Ｙ２，Ｚ２に変換する（ステップＳ２６）。
【００８８】
そして、Ｓ２３にて変換されたＸＹＺ値Ｘ１，Ｙ１，Ｚ１、Ｓ２６にて変換されたＸＹＺ値Ｘ２，Ｙ２，Ｚ２、及び環境温度の変化量（Ｔ２−Ｔ１）を式（１），式（２），式（３）に代入して、第１赤色ＬＥＤ２１ａ，第２赤色ＬＥＤ２１ｂのＸＹＺ温度変化率情報ΔＸ，ΔＹ，ΔＺを算出し、ＸＹＺ温度変化率情報４１ｂとして記憶部４１に記憶する（ステップＳ２７）。このようにして、環境温度が変化した場合のＸＹＺ温度変化率情報４１ｂを予め求めて記憶部４１に記憶しておく。
【００８９】
ΔＸ＝（Ｘ２−Ｘ１）／（Ｔ２−Ｔ１）…式（１）
ΔＹ＝（Ｙ２−Ｙ１）／（Ｔ２−Ｔ１）…式（２）
ΔＺ＝（Ｚ２−Ｚ１）／（Ｔ２−Ｔ１）…式（３）
ここでは２点の補間で計算する方法を例示したが、テーブルなどを用いてテーブルのデータが存在しない区間を補間で求める方法を用いることも可能である。
【００９０】
図１２及び図１３は本発明の実施形態２に係る発光装置の発光強度調整方法の第２の処理手順及び第３の処理手順の一例を示すフローチャートである。
まず、温度センサ６２にて発光部２０の環境温度（発光環境温度Ｔ）を測定するとともに（ステップＳ３１）、発光環境温度Ｔにおける第１赤色ＬＥＤ２１ａ，第２赤色ＬＥＤ２１ｂ、緑色ＬＥＤ２２及び青色ＬＥＤ２３の発光強度をカラーセンサ６１にて計測する（ステップＳ３２）。
【００９１】
そして、記憶部４１に記憶されたリファレンスＸＹＺ情報４１ａ及びＸＹＺ温度変化率情報４１ｂを読み出し、Ｓ３２にて計測された発光強度のうちの第１赤色ＬＥＤ２１ａ，第２赤色ＬＥＤ２１ｂの発光強度と、読み出したリファレンスＸＹＺ情報４１ａ及びＸＹＺ温度変化率情報４１ｂとに基づいて、第１赤色ＬＥＤ２１ａ及び第２赤色ＬＥＤ２１ｂの合成スペクトルのＸＹＺ値Ｘ，Ｙ，Ｚを算出する（ステップＳ３３）。
【００９２】
次に、制御部１１は、合成スペクトルのＸＹＺ値Ｘ，Ｙ，ＺとＸＹＺの目標値（赤色スペクトルの目標値）との差分値を算出する（ステップＳ３４）。なお、ＸＹＺの目標値は、予め発光装置２の固有値として記憶部４１に記憶されているものとする。もちろん、ＸＹＺの目標値が直接的に受け付けられるようにしてもよい。
【００９３】
そして、差分値が０であるか否かを判定し（ステップＳ３５）、差分値が０であると判定された場合（Ｓ３５：ＹＥＳ）、赤色スペクトルが目標値となったと判断する。なお、差分値が０であると判定された場合の第１赤色ＬＥＤ２１ａ，第２赤色ＬＥＤ２１ｂのＰＷＭ出力比率は記憶部４１に記憶される。一方、差分値が０でないと判定された場合（Ｓ３５：ＮＯ）、第１赤色ＬＥＤ２１ａ及び第２赤色ＬＥＤ２１ｂのＰＷＭ出力値を変更し（ステップＳ３６）、Ｓ３２へ移行して、変更したＰＷＭ出力値での発光強度を再度計測する。このように、第１赤色ＬＥＤ２１ａ，第２赤色ＬＥＤ２１ｂのＰＷＭ出力値を、差分値に応じて増加又は減少させるフィードバック処理を繰り返すことによって差分値を収束させ、収束したＰＷＭ出力値の比率をＰＷＭ出力比率４１ｃとして記憶する。以上、Ｓ３１〜Ｓ３６の処理が、第１赤色ＬＥＤ２１ａ及び第２赤色ＬＥＤ２１ｂの合成スペクトルのピーク波長を所定値に近づける第２の処理に相当する。つまり、ピーク波長が所定値となるように赤色スペクトルの目標値を設定するようにしておけば、環境温度が変化した場合であっても、赤色系の合成スペクトルのＸＹＺ値Ｘ，Ｙ，Ｚが赤色スペクトルの目標値、すなわち、合成スペクトルのピーク波長を所定値に近づけることができる。したがって、環境温度が変化した場合であっても、常に一定ピーク波長の赤色系のスペクトルが発光される。
【００９４】
次に、発光装置２は、輝度・色度設定信号が入力部５０に入力されることによって、輝度及び色度の設定値を受け付ける（ステップＳ３７）。なお、輝度及び色度の設定値は、その数値自体を使用者によって直接的に入力されることによって受け付けられるようにしてもよい。
【００９５】
そして、制御部１１は、Ｓ３７にて受け付けた輝度及び色度の設定値からＸＹＺ設定値を算出する（ステップＳ３８）。このように、本例では、一旦、輝度及び色度の情報をＸＹＺ情報に変換するようにする。また、第１赤色ＬＥＤ２１ａ，第２赤色ＬＥＤ２１ｂ、緑色ＬＥＤ２２及び青色ＬＥＤ２３の発光強度をカラーセンサ６１にて計測する（ステップＳ３９）。
【００９６】
そして、記憶部４１に記憶されたリファレンスＸＹＺ情報４１ａ及びＸＹＺ温度変化率情報４１ｂを読み出し、Ｓ３９にて計測された第１赤色ＬＥＤ２１ａ，第２赤色ＬＥＤ２１ｂ、緑色ＬＥＤ２２及び青色ＬＥＤ２３の発光強度と、読み出したリファレンスＸＹＺ情報４１ａ及びＸＹＺ温度変化率情報４１ｂとに基づいて、第１赤色ＬＥＤ２１ａ、第２赤色ＬＥＤ２１ｂ、緑色ＬＥＤ２２及び青色ＬＥＤ２３の合成スペクトルのＸＹＺ値Ｘ，Ｙ，Ｚを算出する（ステップＳ４０）。
【００９７】
次に、制御部１１は、合成スペクトルのＸＹＺ値Ｘ，Ｙ，ＺとＸＹＺ設定値（全スペクトルの目標値）との差分値を算出する（ステップＳ４１）。そして、差分値が０であるか否かを判定し（ステップＳ４２）、差分値が０であると判定された場合（Ｓ４２：ＹＥＳ）、輝度及び色度が設定値となったと判断して処理を終了する。一方、差分値が０でないと判定された場合（Ｓ４２：ＮＯ）、第１赤色ＬＥＤ２１ａ，第２赤色ＬＥＤ２１ｂのＰＷＭ出力比率を保持した状態で、第１赤色ＬＥＤ２１ａ，第２赤色ＬＥＤ２１ｂ，緑色ＬＥＤ２２及び青色ＬＥＤ２３のＰＷＭ出力値を変更し（ステップＳ４３）、Ｓ３９へ移行して、変更したＰＷＭ出力値での発光強度を再度計測する。以上、Ｓ３７〜Ｓ４３の処理が、第１赤色ＬＥＤ２１ａと第２赤色ＬＥＤ２１ｂとの発光比率を保持した状態で、第１赤色ＬＥＤ２１ａ、第２赤色ＬＥＤ２１ｂ、緑色ＬＥＤ２２、及び青色ＬＥＤ２３の発光強度をさらに調整して、目標の輝度及び色度に近づける第３の処理に相当する。第２の処理手順と第３の処理手順は、所定時間毎に又は使用者の指示に基づいて行われる。このようにして、第１赤色ＬＥＤ２１ａ，第２赤色ＬＥＤ２１ｂ，緑色ＬＥＤ２２及び青色ＬＥＤ２３のＰＷＭ出力値をさらに変更して、受け付けた輝度及び色度のスペクトルで発光する。また、第３の処理手順では、第２の処理手順にて決定した第１赤色ＬＥＤ２１ａ，第２赤色ＬＥＤ２１ｂの発光比率を保持することから、環境温度が変化した場合であっても、赤色系のピーク波長が所定値となり、常に一定の輝度及び色度で発光することができる。
【００９８】
なお、本実施形態では、第１赤色ＬＥＤ２１ａと第２赤色ＬＥＤ２１ｂとのＰＷＭ出力比率を変更するフィードバック処理を行って、赤色系の合成スペクトルのピーク波長が目標のピーク波長とする形態について説明したが、発光環境温度に対して、赤色系の合成スペクトルのピーク波長が目標のピーク波長となる第１赤色ＬＥＤ２１ａと第２赤色ＬＥＤ２１ｂとのＰＷＭ出力比率を特定するＰＷＭ出力比率情報テーブル（図１４）を記憶部４１に記憶しておいてもよい。例えば、発光装置２の製造者側、すなわち製造工程で、発光装置２を複数の環境温度で、上述したフィードバック処理を行い、赤色系の合成スペクトルのピーク波長が目標のピーク波長となる第１赤色ＬＥＤ２１ａと第２赤色ＬＥＤ２１ｂとのＰＷＭ出力比率を求めて、ＰＷＭ出力比率情報テーブルとして記憶しておく。このようにすれば、環境温度が変化した場合であっても、温度センサ６２にて計測した温度における第１赤色ＬＥＤ２１ａと第２赤色ＬＥＤ２１ｂとのＰＷＭ出力比率をＰＷＭ出力比率情報テーブルから抽出することによって、赤色系のピーク波長が所定値となり、処理手順を簡略化することができる。
【００９９】
（実施形態３）
図１５は本発明の実施形態３に係る液晶表示装置の構成例を示す斜視図である。
本発明の実施形態３に係る液晶表示装置５は、液晶パネル９０及びバックライトとして機能する発光装置１（２）から構成される。発光装置１（２）は、実施形態１又は実施形態２にて説明した発光装置であり、液晶パネル９０の背面に配置される。
【０１００】
液晶パネル９０は、一対のガラス基板が対向配置され、その間隙内に液晶物質である液晶層が形成された構成を有し、一方のガラス基板には複数の画素電極と、画素電極のそれぞれにドレインを接続したＴＦＴとが、他方のガラス基板には共通電極が形成されている。ＴＦＴのゲート及びソースは、図示しない液晶駆動部（ゲートドライバ及びソースドライバ）に接続される。発光装置１（２）の発光部２０から発光された出射光は、液晶パネル９０に入射し、透過率が調整され、表示画面９１から出射されることによって映像が表示される。このように、発光装置１（２）を液晶表示装置５のバックライトに用いることにより色再現性が向上する。また、ホワイトバランス（白色の色度）を調整すること、色バランスを変えて演色効果を付与することが可能である。
【０１０１】
（実施形態４）
図１６は本発明の実施形態４に係る液晶表示装置の構成例を示すブロック図である。
本発明の実施形態４に係る液晶表示装置６は、制御部１０、発光部２０、駆動部３０、記憶部４０、入力部５０、スペクトルセンサ６０、液晶パネル９０などを備えている。制御部１０は、実施形態１にて説明した目標分光スペクトル演算部１０ａ、分光スペクトル差分演算部１０ｂ、ＬＥＤ出力演算部１０ｃに加えて、液晶パネル９０を駆動するための液晶駆動部１０ｄから構成される。
【０１０２】
また、入力部５０には、輝度・色度設定信号に加えて映像信号が入力され、入力された映像信号は制御部１０へ与えられる。液晶駆動部１０ｄは、主としてゲートドライバとソースドライバとから構成されており、入力された映像信号に基づいて液晶パネル９０を駆動する。このように、液晶表示装置５は、入力部５０に入力された映像信号に基づいて、液晶パネル９０の表示画面９１に映像を表示する機能を有する。
【０１０３】
スペクトルセンサ６０は、着脱可能になしてあり、液晶パネル９０の表示画面に配置される。その他の構成及び各部によって処理される処理手順は実施形態１と同様であるので、対応する部分には同一の符号を付してその説明を省略する。このように、発光装置１と同等の構成で液晶表示装置６を構成することにより、液晶表示装置６の色再現性が向上する。また、ホワイトバランス（白色の色度）を調整すること、色バランスを変えて演色効果を付与することが可能である。
【０１０４】
なお、本実施形態では、実施形態１にて説明した発光装置１と同等の構成とすることにしたが、実施形態２にて説明した発光装置２と同等の構成としてもよいことはもちろんである。
【図面の簡単な説明】
【０１０５】
【図１】本発明の実施形態１に係る発光装置の構成例を示すブロック図である。
【図２】２５℃の環境下における第１赤色ＬＥＤ及び第２赤色ＬＥＤの各スペクトル、並びに合成スペクトルを示すグラフである。
【図３】８０℃の環境下における第１赤色ＬＥＤ及び第２赤色ＬＥＤの各スペクトル、並びに合成スペクトルを示すグラフである。
【図４】第１赤色ＬＥＤ及び第２赤色ＬＥＤの合成スペクトル、緑色ＬＥＤのスペクトル、及び青色ＬＥＤのスペクトルを示すグラフである。
【図５】リファレンス分光スペクトル情報を示すテーブル図である。
【図６】本発明の実施形態１に係る発光装置の発光強度調整方法の第１の処理手順の一例を示すフローチャートである。
【図７】本発明の実施形態１に係る発光装置の発光強度調整方法の第２の処理手順の一例を示すフローチャートである。
【図８】本発明の実施形態２に係る発光装置の構成例を示すブロック図である。
【図９】リファレンスＸＹＺ情報を示すテーブル図である。
【図１０】ＸＹＺ温度変化率情報を示すテーブル図である。
【図１１】本発明の実施形態２に係る発光装置の発光強度調整方法の第１の処理手順の一例を示すフローチャートである。
【図１２】本発明の実施形態２に係る発光装置の発光強度調整方法の第２の処理手順及び第３の処理手順の一例を示すフローチャートである。
【図１３】本発明の実施形態２に係る発光装置の発光強度調整方法の第２の処理手順及び第３の処理手順の一例を示すフローチャートである。
【図１４】ＰＷＭ出力比率情報テーブルの一例を示すテーブル図である。
【図１５】本発明の実施形態３に係る液晶表示装置の構成例を示す斜視図である。
【図１６】本発明の実施形態４に係る液晶表示装置の構成例を示すブロック図である。
【図１７】発光スペクトルのドミナント波長ドリフトを説明するための説明図である。
【図１８】ドミナント波長ドリフトの一例を示すテーブル図である。
【符号の説明】
【０１０６】
１，２  発光装置
５，６  液晶表示装置
１０，１１  制御部
２０  発光部
２１ａ  第１赤色ＬＥＤ
２１ｂ  第２赤色ＬＥＤ
２２  緑色ＬＥＤ
２３  青色ＬＥＤ
３０  駆動部
４０，４１  記憶部
５０  入力部
６０  スペクトルセンサ
６１  カラーセンサ
６２  温度センサ
９０  液晶パネル
【図１】
2006253502.tif 000003
【図２】
2006253502.tif 000004
【図３】
2006253502.tif 000005
【図４】
2006253502.tif 000006
【図５】
2006253502.tif 000007
【図６】
2006253502.tif 000008
【図７】
2006253502.tif 000009
【図８】
2006253502.tif 000010
【図９】
2006253502.tif 000011
【図１０】
2006253502.tif 000012
【図１１】
2006253502.tif 000013
【図１２】
2006253502.tif 000014
【図１３】
2006253502.tif 000015
【図１４】
2006253502.tif 000016
【図１５】
2006253502.tif 000017
【図１６】
2006253502.tif 000018
【図１７】
2006253502.tif 000019
【図１８】
2006253502.tif 000020